(57)【要約】乗客コンベヤー（２０）に用いられる表示装置（４０）は交通流れ方向の情報を提供する。一つの実施例は、乗降場所（２４）の近傍の手すり（２８）の下方に適宜に位置する表面（３８）上に支持された表示パネル（４２）を含む。特定の実施例では、手すり入口モジュール（３２）が、手すり入口（３６）と、表示装置（４０）を支持する支持表面（３８）とを含む。一つの実施例では表面（３８）が手すり入口（３６）に関連する垂直な表面（３４）から下方かつ外方に伸び、表示装置の視認性を最大にする。
2006513959.tif 000002
【特許請求の範囲】
【請求項１】
乗客コンベヤーの一つの端部の乗降場所の近傍において手すりの下方に配置されるのに適した表示装置を有し、該表示装置は乗客コンベヤーの端部に近づく人に視認可能であることを特徴とする、乗客コンベヤーの移動方向を表示する装置。
【請求項２】
表示装置は、ある表面の上に支持される表示スクリーンを含み、前記表面は、表示装置が手すりの下方に配置されたときに乗降場所に関して少なくとも部分的に傾斜角を有することを特徴とする、請求項１記載の装置。
【請求項３】
表示装置は電子表示パネルを有することを特徴とする、請求項１記載の装置。
【請求項４】
表示装置が点灯することを特徴とする、請求項３記載の装置。
【請求項５】
表示装置は液晶表示パネルを有することを特徴とする、請求項３記載の装置。
【請求項６】
表示装置上の標識を制御する制御装置を含み、この制御装置は乗客コンベヤーの移動方向に対応して自動的に標識を設定することを特徴とする、請求項１記載の装置。
【請求項７】
制御装置は乗客コンベヤーのモーターの運動方向に関する情報を用いて対応する標識を決定することを特徴とする、請求項６記載の装置。
【請求項８】
手すりが通過する開口部を有するおおよそ垂直な部分と、垂直な部分からおおよそ下方にかつ外方に伸びる支持表面と、を有する手すり入口モジュールを含み、表示装置がこの支持表面上に位置することを特徴とする、請求項１記載の装置。
【請求項９】
支持表面が湾曲していることを特徴とする、請求項８記載の装置。
【請求項１０】
二つの乗降場所の間の所定の経路に沿って移動する複数のステップと、
ステップとともに移動する手すりと、
対応する一つの乗降場所の近傍の手すりの下方に位置する少なくとも一つの支持表面と、
支持表面に関連しかつ乗降場所に近づく人に視認可能な表示装置であって、ステップの移動方向の表示を提供するところの表示装置と、
を含んだ乗客コンベヤー。
【請求項１１】
ステップの両側の手すりと、各々の乗降場所の近傍の各々の手すりの下方の表示装置とを含むことを特徴とする、請求項１０記載の乗客コンベヤー。
【請求項１２】
支持表面は少なくとも部分的に乗降場所に関して傾斜角を有し、表示装置が上記表面上に支持されることを特徴とする、請求項１０記載の乗客コンベヤー。
【請求項１３】
手すりが通過する開口部を有するおおよそ垂直な部分を含む手すり入口モジュールを含み、支持表面は垂直な部分からおおよそ下方にかつ外方に伸び、表示装置はこの支持表面上に位置することを特徴とする、請求項１０記載の乗客コンベヤー。
【請求項１４】
支持表面が湾曲していることを特徴とする、請求項１３記載の乗客コンベヤー。
【請求項１５】
表示装置は電気的に駆動される標識を有することを特徴とする、請求項１０記載の乗客コンベヤー。
【請求項１６】
表示措置は、選択的に少なくとも部分的に点灯して、ステップの移動方向の表示を提供することを特徴とする、請求項１５記載の乗客コンベヤー。
【請求項１７】
表示装置は液晶表示パネルを有することを特徴とする、請求項１５記載の乗客コンベヤー。
【請求項１８】
表示装置上の表示を制御する制御装置を含み、この制御装置はステップの移動方向に対応して自動的に表示を設定することを特徴とする、請求項１０記載の乗客コンベヤー。
【請求項１９】
ステップを選択された方向に駆動する機械を含み、制御装置は機械の作動に関する情報を用いて対応する表示を決定することを特徴とする、請求項１８記載の乗客コンベヤー。
【請求項２０】
制御装置は機械および表示装置の作動を制御することを特徴とする、請求項１９記載の乗客コンベヤー。
【発明の詳細な説明】
【技術分野】
【０００１】
本発明は一般に乗客コンベヤー用の表示装置に関する。より具体的には、本発明は乗客コンベヤー用の交通流れ標識の表示装置に関する。
【背景技術】
【０００２】
エスカレーターおよび動く歩道などの乗客コンベヤーは通常、乗降場所の間の所定の経路に沿って移動する複数のステップを含む。エスカレーターの場合は、ステップは上昇または下降方向に移動して、例えばビルディングの異なる階の間で乗客を運ぶ。
【０００３】
近づいて来る乗客に対して、乗客コンベヤーの移動方向を示す可視表示を備えることは望ましいことであった。一つの方法は手すりに関連する欄干の下方にある外側カバーに可視標識をつけることであった。この方法は欄干が不透明であるときに用いられた。他の方法はガラス製の欄干の外側に可視標識をつけることであった。これら両方法の欠点は、真っ直ぐにエスカレーターに近づく乗客にしか見えない、ということである。このような標識が他の特定の角度から見えるとしても、それは限られた視点からである。
【０００４】
これまで提供されてきた他の形式の標識は、エスカレーターの外部に交通流れの方向を示す標柱または看板を置くことであった。このような看板の欠点は、これらがエスカレーターシステムの一部ではなく、例えば床スペースを最大限に利用しようとする事業主にとっては不都合となる可能性があることであった。
【０００５】
エスカレーター等の乗客コンベヤーの交通流れ方向の可視表示を人に提供するための、改良された表示装置が要求されている。本発明は先行する試みの欠点を回避しつつこの要求に応えようとするものである。
【発明の開示】
【課題を解決するための手段】
【０００６】
一般的に言えば本発明は乗客コンベヤーの移動方向を示す交通流れ情報を提供する表示装置である。
【０００７】
本発明によって設計された、乗客コンベヤーの移動方向を示すための装置の一つの実施例は、コンベヤーの一つの端部の乗降場所の近傍の手すりの下方に配置されるのに適した表示装置を含む。表示装置はコンベヤーの端部に近づく人から視認可能である。
【０００８】
一つの実施例では、表示装置は手すり入口モジュールによって支持されており、該モジュールは乗降場所に関して少なくとも部分的に傾斜角を有する少なくとも一つの表面を含む。表示装置が斜めに向いた表面に支持されることによって、コンベヤーに近づく広範囲の層の乗客にとって表示装置の視認性が最大になる。
【０００９】
一つの実施例の構成はコンベヤーの移動方向に対応して表示内容を自動的に制御する制御装置を含む。一つの実施例では、制御装置は、乗客コンベヤーに関連してステップを所望の方向に駆動するモーターの運動方向に関する情報を用いる。
【００１０】
以下における、現在において好ましい実施例の詳細な説明から、本発明の種々の特徴および利点が当業者にとって明らかとなろう。
【発明を実施するための最良の形態】
【００１１】
図１に示されるように、乗客コンベヤー２０は乗降場所２４および２６の間を選択された方向に移動する複数のステップ２２を含む。図示されたコンベヤーはエスカレーターであるが、本発明はエスカレーターのみに限定されるものではない。動く歩道および他の形式の乗客コンベヤーも本発明の範囲内にある。
【００１２】
ステップ２２は従来の方法で移動して、エスカレーターの両端にある乗降場所２４および２６の間で乗客を運搬する。手すり２８が従来の方法でステップ２２とともに移動して、エスカレーター上の乗客を安定させる取っ手を提供する。従来のエスカレーター支持構造３０が、エスカレーターシステムの作動部品の一部を、従来の方法で少なくとも部分的に覆っている。
【００１３】
手すり入口モジュール３２が、各乗降場所においてステップの両側に位置している。この実施例では各々のモジュール３２は実質的に垂直な表面３４を含み、該表面には開口部３６があって手すりの入口をなしている。支持表面３８が、対応する乗降場所と垂直表面との間で垂直表面３４から実質的に外方かつ下方に伸びている。図示された実施例では、表面３８は少なくとも部分的に、乗降場所に関して斜めに角度をつけて配置されている。図２および図３の特定の実施例では、表面３８は丸められているか、または少なくとも部分的に曲線状になっている。表面３４および３６の位置角度および形状は特定の場合の要求に応じて様々であってよい。この説明を読めば、当業者は意図された結果を与えるものを選択することができよう。
【００１４】
表示装置４０がモジュール３２に支持されており、この実施例では一般的に支持表面３８に整列している。表示装置４０はエスカレーターの交通流れの方向を示す可視表示を提供する。表示装置をなす機器の選択に依存して、各種の標識が表示装置４０上に提供されてよい。標識の一つの実施例は交通流れの方向を指し示す矢印である。標識の他の実施例はエスカレーターの交通流れの方向を示す「上り」または「下り」という文字である。本発明によって設計された表示装置に有用な標識の他の実施例には、停止信号、「立入禁止」を意味する記号、人が一方通行路に間違った方向から入ろうとしていることを示す記号、またはエスカレーターが正常に作動しておらずステップが動いていないことを示す「Ｘ」が含まれる。この明細書を利用する当業者はその特定の場合の要求に合致する表示内容を選択することができよう。
【００１５】
図２を参照すれば、表示パネル４２は交通流れ方向の可視表示を提供する。一つの実施例では、表示パネル４２は所望の交通流れ表示を提供するように選択的に点灯されるライトを含む。一つの実施例ではＬＥＤが用いられる。他の実施例は液晶表示パネルを含む。各種の市販の表示パネルを、本発明によって設計された装置に組み込むことができる。この明細書を読めば、当業者はその特定の場合の要求に合致する適当な部品を選択することができよう。
【００１６】
図示された実施例では、表示装置４０が手すり入口モジュール３２の一部として含まれているが、本発明はこのような一体化された配置に限定されない。表示装置を乗降場所の近傍において手すりの下方に置く他の実施例もまた本発明の範囲内である。一つの実施例では、表示装置は乗降場所の一部をなす構造部材によって支持される。
【００１７】
図２に概略的に示されるように、電子制御ユニット（ＥＣＵ）５０が表示装置４０を制御している。一つの実施例では表示装置４０の内容を制御する専用のマイクロプロセッサーが具備される。他の実施例では、制御装置５０は機械（すなわち図１の５１に概略的に示されるモーターおよびブレーキ）に関連し、エスカレーターの移動または作動を制御する役目の制御装置の一部である。制御装置５０は表示装置４０に適当な信号を送って所望の表示を提供させる。制御装置５０は例えば、モーターの動きに関して決定された情報に基づいて交通流れ方向の表示を提供する。
【００１８】
本発明の一つの利点は、表示装置４０が手すり入口３６の近傍に位置することである。交通流れ情報の表示装置を乗降場所における手すりの下方に備えることによって、エスカレーターに乗る可能性のあるより広範囲の層の乗客によって、標識がより容易に視認される。このような標識は様々な角度からより容易に視認され、ステップ２２の流れまたは移動方向の直接表示を提供するものとしてより容易に受け取られる。本発明は交通流れの表示を、意匠的に美しい形で乗客コンベヤーシステムに一体化し、かつ従来の試みよりも高い機能を提供する。
【００１９】
上述の説明は例示的な性格のものであり、限定的な性格のものではない。当業者には本発明の主旨から必ずしも逸脱しない変形および改良が明らかとなろう。本発明に与えられる法的保護は添付の特許請求の範囲を検討することによってのみ決定可能である。
【００２０】
詳細な説明に付属する図面を簡単に説明すれば以下の通りである。
【図面の簡単な説明】
【００２１】
【図１】図１は本発明の一つの実施例によって設計された表示装置を組み込んだ乗客コンベヤーシステムを概略的に図示している。
【図２】図２は本発明の一つの実施例によって設計された表示装置配置の一例を図示している。
【図１】
2006513959.tif 000003
【図２】
2006513959.tif 000004
【国際調査報告】
2006513959.tif 000005